(57)【要約】【課題】  従来の携帯照明具は片側のみに１個又は複数個の光源を有する構造であり、複数の光源が中央に位置することができないため、反射鏡の反射により発光を充分に活かせなかったり、反射鏡を光源に対して最適化したものにできないという課題があった。【解決手段】  携帯照明具の両端にライト部１とライト部２を設けることにより、１個の携帯照明具で使用場所や使用状況に合致した照射範囲と明るさ及び電池寿命を使い分けができるようになった。【選択図】  図１
2005243520.tif 000002
【特許請求の範囲】
【請求項１】
電池を電源として、両端にライト部Ａとライト部Ｂを設け、ライト部の選択をコントロールするスイッチ部と電源部とを備えたことを特徴とする携帯照明具。
【請求項２】
スイッチ部と電源部を着脱可能にした接点構造と、ライト部Ａとライト部Ｂとをそれぞれ独立した点灯回路にするために、ケース内にケースとは絶縁された異極の電池ケースを備えたことを特徴とする請求項１記載の携帯照明具。
【請求項３】
ライト部Ａ、ライト部Ｂの光源に豆球又は発光ダイオードを備えたことを特徴とする請求項１または２いずれかに記載の携帯照明具。
【請求項４】
ケースが金属又は樹脂から構成されることを特徴とする請求項１乃至３いずれかに記載の携帯照明具。
【発明の詳細な説明】
【技術分野】
【０００１】
本発明は、電池を電源とし、主に夜間に使用される携帯照明具に関するものである。
【背景技術】
【０００２】
従来の携帯照明具は、片側のみ１個又は複数個の光源を有する構造であった。（例えば、特許文献１参照）
【特許文献１】特表２００２−５３８５８９号公報
【発明の開示】
【発明が解決しようとする課題】
【０００３】
しかしながら、前記従来の構成では、使用場所や使用状況に合致した照射範囲と明るさ及び電池寿命の使い分けが限られるので、携帯照明具を複数個持ち合わせなければならず、煩わしさと使い勝手が悪いという課題を有するものであった。また複数個の光源を有するとしても、光源としてＬＥＤとハロゲン電球を用いている場合等は両方の光源が中央には位置せず、反射鏡の反射により発光を充分に活かせない、反射鏡を光源に対して最適化したものにできないという課題を有していた。
【０００４】
そこで本発明は、上記従来の課題に鑑みて、使用場所や使用状況に合致した照射範囲と明るさ及び電池寿命を使い分けが出来る複数の光源を有する携帯照明具を提供することを目的とする。
【課題を解決するための手段】
【０００５】
本発明は上記課題を解決するために、携帯照明具の両端にライト部Ａとライト部Ｂを設けることにより、１個の携帯照明具で使用場所や使用状況に合致した照射範囲と明るさ及び電池寿命を使い分けが出来るようにしたものである。
【０００６】
そのために、電池交換するためにスイッチ部と電源部を着脱可能にする必要があり、その手段としてそれぞれ独立した接点を設け組込むと接続するようにすると共に電源部ケースとは絶縁された異極の電池ケースを備えたものである。
【０００７】
１個の携帯照明具で使用場所や使用状況に合致した照射範囲と明るさ及び電池寿命を使い分けが出来るために、ライト部Ａ、ライト部Ｂの光源に豆球又は発光ダイオードを備えると共に、ライト部Ａについては反射鏡を、ライト部Ｂについては非球面レンズを可動させることにより、照射範囲と明るさを可変でき、最も好ましい状態で活用できるようにしたものである。
【発明の効果】
【０００８】
本発明の携帯照明具は、上記構成のように１個の携帯照明具で使用場所や使用状況に合致した照射範囲と明るさ及び電池寿命を使い分けが出来る。
【発明を実施するための最良の形態】
【０００９】
以下、添付図面を参照して本発明の実施の形態について説明する。本実施の形態は携帯照明具の一例であるメタルライトに本考案の構成を適用した例を示すものである。
【００１０】
図１において、実施の形態に係るメタルライト（携帯照明具）１は、ケース２に取り付けられたＬＥＤソケットＡ３とＬＥＤソケットＢ４に挟まれているＬＥＤ基板５が（後述の）スイッチ基板６の切替によりＬＥＤ７を点灯させる為に構成された片端部と、スイッ
チ基板６を保持するスイッチホルダーＡ８とスイッチホルダーＢ９が組み込まれている中ベース１０を介して、豆球ベース２６に取り付けられている（豆球）ソケットＡ１１と（豆球）ソケットＢ１２に挟まれている豆球リードＡ１３と豆球リードＢ１４を導通させ、ミニチュア球（豆球）１５を（後述の）スイッチ基板６の切替により点灯させる為に構成された（ＬＥＤ７とは逆側の）片端部を一個の携帯照明具で使用場所や使用状況に合致した照射範囲と明るさ及び電池寿命を使い分けが出来るように構成されている。
【００１１】
前記のケース２のＬＥＤ基板５側には、ＬＥＤ７から出射される光の光軸Ｌ上にＬＥＤベース１６とＯリング１７を介してレンズカバー１８との挟み込みによって保持されている非球面レンズ１９が配設され、ＬＥＤベース１６を回転させることによりねじ送り構造により前後方向に直線移動して非球面レンズ１９のＬＥＤ７に対する光軸L上での離隔距離を変化させ、照射範囲が調節できるように構成されている。
【００１２】
前記ケース２のＬＥＤ７側には中央に照明口１２０が形成された焦点調節用のＬＥＤベース１６が回転可能に装着され、これを回動させることにより照明口１２０から照射される光の直径を調節することができる。またミニチュア球（豆球）１５側には中ベース１０が配設されており、これを回転させることにより、ねじ送り構造によりケース２より外し、電池を出し入れする状態とすることができる。
【００１３】
また、中ベース１０には押しボタンとして構成されるスイッチゴム２１並びにスイッチピン２２更にこれを垂直方向に上下させるスイッチガイド２３を配設することにより、その下に配設されたスイッチ基板６上のプッシュスイッチ２４を押すことによりＬＥＤ７が点灯状態とミニチュア球（豆球）１５点灯状態及び全消灯状態をコントロール出来るように構成されている。
【００１４】
前記中ベース１０には中央に照明口２２５が形成された焦点調節用の豆球ベース２６が回転可能に装着され、これを回動させることにより照明口２２５から照射される光の直径を調節することができる。
前記ケース２のミニチュア球（豆球）１５側にはこれを取り付けられる豆球ソケットＡ１１と豆球ソケットＢ１２が配設されている中ベース１０が配設されており、ミニチュア球（豆球）１５から出射される光の光軸上Ｌに豆球ベース２６と、光を反射させる反射鏡２７及びこれを豆球ベース２６に保持するＯリングとレンズ２９が配設され、豆球ベース２６を回転させることによりねじ送り構造により前後方向に直線移動して反射鏡２７のミニチュア球（豆球）１５に対する光軸Ｌ上での離隔距離を変化させ、照明範囲が調節できるように構成されている。
【００１５】
前記ＬＥＤ７は、図３に示すように２本の電池３０を直列接続した順方向電流が流されることにより発光し、ＬＥＤ７の表面に形成されたレンズにより光軸L上に指向性中心を有する光として出射される。尚ＬＥＤ７は２本の電池３０により加わる電圧をＬＥＤ基板５内で昇圧することにより３Ｖ〜（１．７Ｖ）の範囲でも明るさ一定の光を照射することができるようにし、同時にＬＥＤ７に適正な電流が流れるように、ＬＥＤ基板５内の電流制限抵抗により電流を制限している。
【００１６】
ＬＥＤ７からの出射光は非球面レンズ１９の非球面設計により光軸Lに略平行な平行光として照明口１２０から照射される。ＬＥＤ７からの出射光を平行光に集光できる非球面レンズ１９のＬＥＤ７からの離隔距離は１点であり、その前後の離隔距離では集光方向又は拡散方向となる。従ってＬＥＤベース１６を回転させて非球面レンズ１９の光軸L上の位置を変化させることにより、照射位置における照明範囲を変化させることができる。このとき照明範囲は非球面レンズ１９により平行光として集光された光により照射されるので照射範囲はほぼ平均的な明るさに照射される。
【００１７】
また、ＬＥＤ基板５は電源を２本の電池３０により電圧を供給されるが、正極側は２本の電池３０の正極側からプラスリード３１を介してＬＥＤ基板５と導通するのに対し、負極側は通常ならばケース２を通してＬＥＤ基板５と導通するのだが、本発明品はミニチュア球（豆球）１５を点灯させるための正極側として構成されていることにより、別にケース２内部を通る負極側導通回路を新たに配設し点灯可能とする回路を構成している。内容としてはケース２内部に最大電池が入るように設計された電池ケース（絶縁ガイド）３２を配設し、ケース２並びに２本の電池３０に接触しない位置に（配設された）ＬＥＤ基板に半田付けされているマイナスリード３３並びにこれに半田付けにより導通することができる接触板３４を電池ケース（絶縁ガイド）３２内に配設することにより負極側の電源を供給できるようにしている。
【００１８】
また、負極側においてプッシュスイッチ２４によりＬＥＤ７を点灯させる回路とミニチュア球（豆球）１５を点灯させる回路を配設している。ＬＥＤ７を点灯させる回路として２本の電池の負極側に接触する電池スプリング３５を通り、これに接触するスイッチ基板６に半田付けにより導通することができるスイッチリードＡ３６を配設し、プッシュスイッチ２４に導通するようにしている。プッシュスイッチ２４はＬＥＤ７を点灯するときは内部にある回転軸３７により接触子３８を一定の角度により回転したときにスイッチ端子１３９と接触することにより導通し、スイッチ基板６を介してスイッチリードＢ４０並びに陰極板４１並びに陰極スプリング４２と接触させることにより負極側の電源を供給できるようにしている。
【００１９】
ここでケース２内に電源となる２本の電池３０を投入する為に電池蓋も兼ねそなえている中ベース１０をケース２によりねじ回転により着脱可能としている。前記の接触板３４と接触させる為の陰極スプリング４２は中ベース１０側に配置することにより着脱可能な構成としながら、ケース２に中ベース１０が取り付けられた状態ではスプリングの特性を生かした十分な接触圧力も確保している。また、前記のプッシュスイッチ２４は豆球を点灯する時は内部にある回転軸３７により接触子３８をＬＥＤ７点灯に使用したスイッチ端子１３９とは１８０°角度がズレてスイッチ端子２４３と接触することにより導通し、スイッチ基板６を介してスイッチリードＣ４４並びに豆球端子Ａ４５を通りミニチュア球（豆球）１５に電源を供給してミニチュア球（豆球）１５の正極側は豆球端子Ｂ４６と接触し、中ベースに導通している。ここも２本の電池３０を投入させる為に中ベース１０が着脱可能となっており、アルミ材料により作成されているケース２と中ベース１０はねじ回転により取り付けられた時に導通する様な構成となっている。
【００２０】
本メタルライト１に適用した非球面レンズ１５は、所定の非球面形状が形成される金型を用いて透明樹脂を形成して製造されるので比較的安価に構成することができ、従来の球面レンズでは照射範囲を平均的な明るさに照明できなかった課題を解決することができる。
【００２１】
本メタルライト１は主に暗闇にて十分な明るさを必要とした場合の照明として用いられる携帯照明具なので、使用場所や使用状態に応じて明るさを調節できることが好ましい。例えば歩行中の足元を照明する場合には明るくしかも光を散光させれば安全性を高めることができ、地図を見るような手元照明では至近距離なので強い明るさは必要でない。１個の携帯照明具で使用場所や使用状況に合致した照射範囲と明るさ及び電池寿命を使い分けができる。
【００２２】
本メタルライト１は野外での夜間照明具としても使用されるものであるため冬山のような低温環境下や真夏の炎天下など厳しい温度環境に曝されることになる。また、降雪時や雨中で使用されることも稀でない。従って、温度変化によって故障や特性の変化が生じな
いような対策が必要であり、水の浸入による故障の発生を防止する防敵構造を備える必要がある。内部に水の浸入の恐れのある各嵌合箇所にはＯリングを配設して防敵構造を構成されている。
【００２３】
また、本メタルライト１は外装部品に導通することができるアルミ材料を使用して堅牢性も併せ持っている。しかし、導通対策さえ検討できれば、外装に樹脂を使用した本メタルライトと同様な構成をつくることもできる。また、本実施の形態においてはプッシュスイッチ２４を採用したが、スライドスイッチを採用すると、ライトＡ、ライトＢのどちらが点灯するかが判る利点がある。
【産業上の利用可能性】
【００２４】
本発明は主に夜間に使用される携帯照明具に利用される。
【図面の簡単な説明】
【００２５】
【図１】本実施の形態における正面図
【図２】本実施の形態における中央断面図
【図３】本実施の形態におけるミニチュア球（豆球）周辺拡大断面図
【図４】本実施の形態におけるＬＥＤ周辺拡大断面図
【図５】本実施の形態における電気的構成を示す回路図
【符号の説明】
【００２６】
１  メタルライト（携帯照明具）
２  ケース（本体）
３  ＬＥＤソケットＡ
４  ＬＥＤソケットＢ
５  ＬＥＤ基板
６  スイッチ基板
７  ＬＥＤ（ライト部Ｂ）
８  スイッチホルダーＡ
９  スイッチホルダーＢ
１０  中ベース
１１  豆球ソケットＡ
１２  豆球ソケットＢ
１３  豆球端子Ａ
１４  豆球端子Ｂ
１５  ミニチュア球（豆球）（ライト部Ａ）
１６  ＬＥＤベース
１７  Ｏリング
１８  レンズカバー
１９  非球面レンズ
２０  照明口１（ＬＥＤ）
２１  スイッチゴム
２２  スイッチピン
２３  スイッチガイド
２４  プッシュスイッチ
２５  照明口２（豆球）
２６  豆球ベース
２７  反射鏡
２８  Ｏリング
２９  レンズ
３０  ２本電池
３１  プラスリード
３２  電池ケース（絶縁ガイド）
３３  マイナスリード
３４  接触板
３５  電池スプリング
３６  スイッチリードＡ
３７  回転端子
３８  接触子
３９  スイッチ端子１
４０  スイッチリードＢ
４１  陰極板
４２  陰極スプリング
４３  スイッチ端子２
４４  スイッチリードＣ
【図１】
2005243520.tif 000003
【図２】
2005243520.tif 000004
【図３】
2005243520.tif 000005
【図４】
2005243520.tif 000006
【図５】
2005243520.tif 000007